【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
ビデオファイルのソースと、
ユーザコマンドを受けるタッチスクリーンと、
近似的に同じ時間長をそれぞれが有する複数のセグメントに前記ビデオファイルをセグメント化すること、前記複数のセグメントを時系列順に従うリストにおいて順序付けること、第１のユーザコマンドに応じて、前記リスト内の前記複数のセグメントの順序を再び順序付けること、及び、第２のユーザコマンドに応じて、前記複数のセグメントのうち少なくとも２つを結合し、結合されたビデオファイルを生成することを行うように動作するプロセッサと、
前記結合されたビデオファイルを保存するように動作するメモリと、
を有する装置。
【請求項２】
前記第１のユーザコマンド及び前記第２のユーザコマンドを受信し、前記リストを表示するように動作するインタフェースを更に有する請求項１に記載の装置。
【請求項３】
前記プロセッサは、第３のユーザコマンドに応じて、前記複数のビデオファイルのうち少なくとも１つを前記リストから除外するように更に動作する、請求項１に記載の装置。
【請求項４】
前記プロセッサは、第４のユーザコマンドに応じて、前記結合されたビデオファイルをネットワークを介して送信するように更に動作する、請求項１に記載の装置。
【請求項５】
前記プロセッサは、前記送信することの完了に応じて、前記結合されたビデオファイルを前記リストから除外するように更に動作する、請求項４に記載の装置。
【請求項６】
前記プロセッサは、第４のユーザコマンドに応じて、前記複数のビデオファイルを再び順序付けるように更に動作する、請求項１に記載の装置。
【請求項７】
前記プロセッサは、前記結合されたビデオファイルのプレビューを生成するように更に動作する、請求項１に記載の装置。
【請求項８】
前記リストを表示するディスプレイを更に有する請求項１に記載の装置。
【請求項９】
ユーザコマンドを受けるタッチスクリーンを有する装置により実行される方法であって、
第１のビデオファイルを受信するステップと、
前記第１のビデオファイルを、近似的に同じ時間長をそれぞれが有する複数のセグメントにセグメント化するステップと、
前記複数のセグメントを時系列順に従うリストにおいて順序付けるステップと、
前記リストを表示するステップと、
第１のユーザコマンドに応じて、前記リスト内の前記複数のセグメントの順序を再び順序付けるステップと、
第２のユーザコマンドに応じて、前記複数のセグメントのうち少なくとも２つを結合し、結合されたビデオファイルを生成するステップと、
を有する方法。
【請求項１０】
第３のユーザコマンドに応じて、前記複数のビデオファイルのうち少なくとも１つを前記リストから除外するステップ
を更に有する請求項９に記載の方法。
【請求項１１】
第４のユーザコマンドに応じて、前記結合されたビデオファイルをネットワークを介して送信するステップ
を更に有する請求項９に記載の方法。
【請求項１２】
前記送信するステップを完了したことに応じて、前記結合されたビデオファイルを前記リストから除外するステップ
を更に有する請求項１１に記載の方法。
【請求項１３】
第４のユーザコマンドに応じて、前記複数のビデオファイルを再び順序付けるステップ
を更に有する請求項９に記載の方法。
【請求項１４】
前記結合されたビデオファイルのプレビューを生成するステップ
を更に有する請求項９に記載の方法。
【手続補正２】
【補正対象書類名】明細書
【補正対象項目名】００４５
【補正方法】変更
【補正の内容】
【００４５】
なお、本願は2013年3月8日付けで出願された米国仮出願第61/775,332号による優先的利益を享受する。
以下、本願により教示される手段を例示的に列挙する。
（付記1）
セグメント化されたビデオを表示する方法であって、
複数のビデオデータを受信するステップと、
前記複数のビデオデータを時系列順に従うリストにおいて順序付けるステップと、
前記リストを表示するステップと、
第1のユーザコマンドに応じて、前記リスト内の前記複数のビデオデータの順序を再び順序付けるステップと、
第2のユーザコマンドに応じて、前記複数のビデオデータのうち少なくとも2つを結合し、結合されたビデオファイルを生成するステップと、
を有する方法。
（付記2）
第3のユーザコマンドに応じて、前記複数のビデオデータのうち少なくとも1つを前記リストから除外するステップ
を更に有する付記1に記載の方法。
（付記3）
第4のユーザコマンドに応じて、前記結合されたビデオファイルをネットワークを介して送信するステップ
を更に有する付記1に記載の方法。
（付記4）
前記送信するステップを完了したことに応じて、前記結合されたビデオファイルを前記リストから除外するステップ
を更に有する付記3に記載の方法。
（付記5）
第4のユーザコマンドに応じて、前記複数のビデオデータを再び順序付けるステップ
を更に有する付記1に記載の方法。
（付記6）
前記結合されたビデオファイルのプレビューを生成するステップ
を更に有する付記1に記載の方法。
（付記7）
複数のビデオデータのソースと、
前記複数のビデオデータを時系列順に従うリストにおいて順序付けること、第1のユーザコマンドに応じて、前記リスト内の前記複数のビデオデータの順序を再び順序付けること、及び、第2のユーザコマンドに応じて、前記複数のビデオデータのうち少なくとも2つを結合し、結合されたビデオファイルを生成することを行うように動作するプロセッサと、
前記結合されたビデオファイルを保存するように動作するメモリと、
を有する装置。
（付記8）
前記第1のユーザコマンド及び前記第2のユーザコマンドを受信し、前記リストを表示するように動作するインタフェースを更に有する付記7に記載の装置。
（付記9）
前記プロセッサは、第3のユーザコマンドに応じて、前記複数のビデオデータのうち少なくとも1つを前記リストから除外するように更に動作する、付記7に記載の装置。
（付記10）
前記プロセッサは、第4のユーザコマンドに応じて、前記結合されたビデオファイルをネットワークを介して送信するように更に動作する、付記7に記載の装置。
（付記11）
前記プロセッサは、前記送信することの完了に応じて、前記結合されたビデオファイルを前記リストから除外するように更に動作する、付記10に記載の装置。
（付記12）
前記プロセッサは、第4のユーザコマンドに応じて、前記複数のビデオデータを再び順序付けるように更に動作する、付記7に記載の装置。
（付記13）
前記プロセッサは、前記結合されたビデオファイルのプレビューを生成するように更に動作する、付記7に記載の装置。
（付記14）
前記リストを表示するディスプレイを更に有する付記7に記載の装置。
（付記15）
第1のビデオファイルを受信するステップと、
前記第1のビデオファイルを複数のビデオデータにセグメント化するステップと、
前記複数のビデオデータを時系列順に従うリストにおいて順序付けるステップと、
前記リストを表示するステップと、
第1のユーザコマンドに応じて、前記リスト内の前記複数のビデオデータの順序を再び順序付けるステップと、
第2のユーザコマンドに応じて、前記複数のビデオデータのうち少なくとも2つを結合し、結合されたビデオファイルを生成するステップと、
を有する方法。
（付記16）
第3のユーザコマンドに応じて、前記複数のビデオデータのうち少なくとも1つを前記リストから除外するステップ
を更に有する付記15に記載の方法。
（付記17）
第4のユーザコマンドに応じて、前記結合されたビデオファイルをネットワークを介して送信するステップ
を更に有する付記15に記載の方法。
（付記18）
前記送信するステップを完了したことに応じて、前記結合されたビデオファイルを前記リストから除外するステップ
を更に有する付記17に記載の方法。
（付記19）
第4のユーザコマンドに応じて、前記複数のビデオデータを再び順序付けるステップ
を更に有する付記15に記載の方法。
（付記20）
前記結合されたビデオファイルのプレビューを生成するステップ